(57)【要約】【課題】ひとつの位置決めブロックで下地材の長手方向と左右方向とにおけるパネルの位置規制ができ、且つ施工作業性の良いパネル体を提供する。【解決手段】本発明のパネル体１において、位置決めブロック７は、パネル３の各コーナー部に配置して下地材５の嵌合溝１７に上方から弾性嵌合しており、下地材５の左右に各々配置するパネル３の載置部２３ａ、２３ｂと、下地材５の左右に各々配置するパネル３の左右方向の位置規制部３７及び下地材長手方向の位置規制部３９とを有し、アタッチメント９はパネル３の被挟着片１５の上面に左右方向から装着して且つ左右方向からのボルト２９とナット３１で下地材５のアタッチメント固定部２７に固定してあり、アタッチメント９と下地材５とでパネル３に設けてある被挟着片１５を挟着してある。【選択図】      図１
2004319526.tif 000002
【特許請求の範囲】
【請求項１】
パネルと、下地材と、下地材にパネルを位置決めする位置決めブロックと、アタッチメントとを備え、パネルは被挟着片を有し、下地材は上面に設けて位置決めブロックを嵌合する嵌合溝と、上面で且つ嵌合溝の左右に各々設けてパネルの側端部を載置するパネル載置部と、左右側面に各々設けたアタッチメント固定部とを夫々長手方向に沿って有し、位置決めブロックは、パネルの各コーナー部に配置して下地材の嵌合溝に上方から弾性嵌合しており、下地材の左右に各々配置するパネルの載置部と、下地材の左右に各々配置するパネルの左右方向の位置規制部及び下地材長手方向の位置規制部とを有し、アタッチメントはパネルの被挟着片の上面に左右方向から装着して且つ左右方向からのボルトとナットで下地材のアタッチメント固定部に固定してあり、アタッチメントと下地材とで被挟着片を挟着してあることを特徴とするパネル体。
【発明の詳細な説明】
【０００１】
【発明の属する技術分野】
本発明は、パネルを下地材に取り付けたパネル体に関する。
【０００２】
【従来の技術】
特許文献１には、下地材に載置した左右のパネル体の被挟着片にアタッチメントを係合すると共に下地材に固定してあるボルトにアタッチメントを挿通して、ナットで締結することにより、下地材に左右のパネルを固定することが開示されている。
特許文献２には、下地材の長手方向に嵌合溝を設け、嵌合溝に位置決めブロックを挿通して、下地材の長手方向に沿って設置するパネル間に位置決めブロックを配置することにより、位置決めブロックで下地材長手方向におけるパネルの位置を規制することが開示されている。
【０００３】
【特許文献１】
特開平８−３１２０８８号公報
【特許文献２】
特開２００１−２７１４６８号公報
【０００４】
【発明が解決しようとする課題】
しかし、特許文献１に開示の技術では、アタッチメントによりパネルを固定する場合には、予め下地材にボルトを固定しておき、アタッチメントをボルトに挿通して装着するので、施工作業に手間がかかるという問題がある。
特許文献２に開示の技術では、位置決めブロックは下地材の長手方向のみの位置規制に限られているから、パネルの左右方向の位置規制をおこなうためには、パネルの左右も位置決めブロックを設ける必要がある。したがって、下地材の長手方及び左右方向の四方におけるパネルの位置規制を行うためには、下地材長手方向及び左右方向にそれぞれブロックを設ける必要があるので、部品点数が多くなると共に作業工数が多くなるという問題がある。
また、下地材の長手方向の位置規制をする位置決めブロックは下地材の長手方向端から嵌合溝に挿通しており、下地材の長手方向端から遠い位置にあるパネルに位置決めブロックを配置するには、位置決めブロックを下地材の嵌合溝に沿って長い距離移動させる必要があるので、施工作業に手間がかかるという問題がある。
そこで、本発明は、ひとつの位置決めブロックで下地材の長手方向と左右方向とにおけるパネルの位置規制ができ、且つ施工作業性の良いパネル体の提供を目的とする。
【０００５】
【課題を解決するための手段】
請求項１に記載の発明は、パネルと、下地材と、下地材にパネルを位置決めする位置決めブロックと、アタッチメントとを備え、パネルは被挟着片を有し、下地材は上面に設けて位置決めブロックを嵌合する嵌合溝と、上面で且つ嵌合溝の左右に各々設けてパネルの側端部を載置するパネル載置部と、左右側面に各々設けたアタッチメント固定部とを夫々長手方向に沿って有し、位置決めブロックは、パネルの各コーナー部に配置して下地材の嵌合溝に上方から弾性嵌合しており、下地材の左右に各々配置するパネルの載置部と、下地材の左右に各々配置するパネルの左右方向の位置規制部及び下地材長手方向の位置規制部とを有し、アタッチメントはパネルの被挟着片の上面に左右方向から装着して且つ左右方向からのボルトとナットで下地材のアタッチメント固定部に固定してあり、アタッチメントと下地材とで被挟着片を挟着してあることを特徴とする。
【０００６】
この請求項１に記載の発明では、パネル体の施工は、パネルのコーナーの突き合せ位置に位置決めブロックを設けるが、位置決めブロックは下地材の嵌合溝に上方から弾性嵌合により取り付ける。
そして、パネルを位置決めブロックの左右にあるパネル載置部にパネルの側端部を載置する。位置決めブロックは、左右方向の位置規制部が左右のパネルの位置を規制し、長手方向の位置規制部が及び下地材の長手方向におけるパネルの位置を規制する。
位置決めブロックがその左右及び下地材の長手方向にあるパネルの位置決めをしたところで、アタッチメントをパネルの被挟着片の上面に装着して、パネルの被挟着片をアタッチメントと下地材とで挟んでアタッチメントを下地材に左右方向からボルトとナットで固定する。
位置決めブロックは下地材の嵌合溝に上方から弾性嵌合により取り付け、パネル載置部にパネルの側端部が載せられてパネルの重量により固定されるので、別途ネジ等の固定手段を必要としないとともに、下地材の上方から任意の位置で取り付けできるので、施工が容易である。
位置決めブロックは、パネルの左右方向の規制部と、下地材の長手方向の規制部とを備えているので、一つの位置決めブロックで四方の位置決めができ、部品点数を削減できるとともに施工工数を少なくできる。
パネルを固定するアタッチメントは、下地材の左右側面に左右方向からボルトとナットで固定するから、ナットの締め付け作業をするときにパネルが邪魔にならず、アタッチメントの固定作業が容易にできる。
【０００７】
【発明の実施の形態】
以下に、添付図面を参照して本発明の実施の形態を説明する。図１の（ａ）は図３のＡ−Ａ断面図であり、（ｂ）は（ａ）に示す位置決めブロックの側面図であり、図２は図３に示すＢ−Ｂ部の断面図であり、図３は図４及び図５に示すＣ部の縦断面図であり、図４は本発明の実施の形態にかかるパネル体の側面図であり、図５は図４に示すパネル体の正面図である。尚、図１（ｂ）には、位置決めブロック７に載置されるパネルを一点鎖線で示している。
本実施の形態にかかるパネル体１は、太陽電池発電装置であり、建物の屋上に設置して太陽エネルギーにより電力を供給するものである。このパネル体１は、パネル３と、パネル３を載置する下地材５と、パネル３を下地材５に位置決めする位置決めブロック７と、パネル３を下地材５に固定するアタッチメント９とを備えている。
パネル３は、平面視略矩形であり、枠１１に太陽電池モジュール１３が取り付けられている。パネル３の枠１１の下端には、下地材５の長手方向に沿って、側端部２５が枠１１の内周側に向けて突設されている。
下地材５は、図４に示すように、一端側を上にして他端側を下にして長手方向に傾斜して設けられている。下地材５は横断面が略矩形の角パイプであり、その上面５ａの左右方向略中央部に下地材５の長手方向に沿って嵌合溝１７が形成されている。嵌合溝１７には、位置決めブロック７の係止片１９が係止される被係止部２１が形成されている。
下地材５の上面５ａにおいて、嵌合溝１７を挟む左右には、パネル３の側端部２５を載置するパネル載置部２３ａ、２３ｂが設けられている。尚、パネル３の側端部２５において、アタッチメント９により挟着される部分が被挟着片１５になっている。
下地材５の左側面５ｂ及び右側面５ｂには、各々アタッチメント固定部２７が下地材５の長手方向に沿って設けられている。アタッチメント固定部２７は、溝であり、溝内にボルト２９の頭を嵌合してあり、ボルト２９とナット３１でアタッチメント９を固定している。
アタッチメント９は、下地材５の長手方向に所定間隔をあけており、各アタッチメント９は横断面略Ｌ字形状であり、Ｌ字の一側部をパネル３の被挟着片１５の上面に配置し、Ｌ字の他側部を左右方向からボルト２９とナット３１でアタッチメント固定部２７に固定してある。
位置決めブロック７は樹脂製であり、パネル載置部３５と、左右方向位置規制部３７と、下地材５の長手方向位置規制部３９とを備えている。パネル載置部３５は、位置決めブロック７が下地材５の嵌合溝１７に嵌合している状態において、下地材５のパネル載置面２３ａ、２３ｂと面一になっている。
パネルの左右方向の位置規制部３７は、位置決めブロックの左右方向における略中央で下地材５の長手方向に沿って設けられている。この左右方向の位置規制部３７は、左側及び右側に各々配置するパネル３に当接して左右方向の位置を規制している。この左右方向位置規制部３７には襞３８が設けてあり、パネル３の枠に当接して雨水等の浸入を防止している。
下地材長手方向の位置規制部３９は、パネル載置部３５から上方に突設してブロック状を成しており、本実施の形態では、中空になっている。そして、長手方向の位置規制部３９がパネル３に当接することにより、下地材５の長手方向におけるパネル３の位置を規制するものである。
尚、位置決めブロック７の下側には、下地材５の嵌合溝１７の被係止部２１に係止する係止片１９が設けられており、上方から嵌合溝１７に挿入することにより位置決めブロック７を嵌合溝１７に容易に係止できるようになっている。
【０００８】
次に、本発明にかかるパネル体１の施工及び作用について説明する。パネル体１の施工は、隣り合うパネル３のコーナーの突き合せ位置に、位置決めブロック７を取り付けるが、位置決めブロック７は下地材５の嵌合溝１７に上方から挿入して、係止片１９を嵌合溝１７の被係止部２１に弾性嵌合により取り付ける。したがって、ネジやボルト等を用いることなく下地材５の上方から任意の位置で容易に位置決めブロック７を装着することができる。
次に、パネル３を位置決めブロック７の左右にあるパネル載置部３５にパネルの側端部２５を載置する。したがって、位置決めブロック７は、パネル３によりその重量で下地材５に固定される。
位置決めブロック７では、左右方向の位置規制部３７が左右のパネル３、３に当接してその位置を規制し、長手方向の位置規制部３９がパネル３、３における下地材５の長手方向の位置を規制する。
位置決めブロック７がその左右及び下地材の長手方向にある各パネル３の位置決めをしたところで、アタッチメント９を被挟着片１５の上面に装着して、パネル３の被挟着片１５をアタッチメント９と下地材５とで挟んで、アタッチメント９を下地材５に左右方向からボルト２９とナット３１で固定する。パネル３を固定するアタッチメント９は、下地材５の左右側面に左右方向からボルト２９とナット３１で固定するから、パネル３の正面側にボルト２９やナット３１が露出せず、外観がよい。
位置決めブロック７は下地材５の嵌合溝１７に上方から押し込むことにより、弾性嵌合により取り付ける。パネル載置部２３ａ、２３ｂにパネルの側端部２５が載せられてパネル３の重量により固定されるので、別途ネジ等の固定手段を必要としないとともに、下地材５の上方から任意の位置で取り付けできるので、施工が容易である。
位置決めブロック７は、パネルの左右方向の位置規制部３７と、下地材の長手方向の位置規制部３９とを備えているので、一つの位置決めブロック７で四方の位置決めができ、部品点数を削減できるとともに施工工数を少なくできる。
【０００９】
次に、図６を参照して、本発明の第２実施の形態について説明する。尚、以下に説明する他の実施の形態において、上述した第１実施の形態と同一の作用効果を奏する部分には、同一の符号を付することによりその部分の詳細な説明を省略し、上述の実施の形態と異なる点を主に説明する。
図６の（ａ）は図４及び図５に示すＥ部の縦断面図であり、（ｂ）は（ａ）に示す位置決めブロックの側面図である。尚、図６（ｂ）において、位置決めブロック７に載置されるパネルを一点鎖線で示している。この実施の形態では、位置決めブロック部７には、下地材長手方向の位置規制部３９が略中央に設けてあり、傾斜した下地材において、下地材長手方向の位置規制部３９が上のパネルと下のパネルとに当接して、両者の位置決めをするものである。尚、図６（ａ）におけるＦ−Ｆ断面は図１（ａ）と同じである。
この第２実施の形態においても、上述した第１実施の形態と同様な作用効果を得ることができる。
本発明は、上述した実施の形態に限らず、本発明の要旨を逸脱しない範囲で種々変形可能である。
例えば、位置決めブロック７の左右方向の位置規制部３７には、襞３８を設けなくてもよい。
例えば、位置決めブロック７の下地材長手方向の位置規制部３９は、横断面が円筒形状でもよく、形状は限定されない。
パネル３は、太陽電池モジュールを搭載したものに限らず、植物を植えた緑化用のパネルであってもよいし、パネルの種類や用途は限定されない。
側端部２５の一部を被挟着部１５とすることに限らず、側端部２５と被挟着部１５とは別に設けてもよい。
【００１０】
【発明の効果】
請求項１に記載の発明によれば、位置決めブロックは下地材の嵌合溝に上方から弾性嵌合により取り付け、パネル載置部にパネルの側端部が載せられてパネルの重量により固定されるので、別途ネジ等の固定手段を必要としないとともに、下地材の上方から任意の位置で取り付けできるので、施工が容易である。
位置決めブロックは、パネルの左右方向の規制部と、下地材の長手方向の規制部とを備えているので、一つの位置決めブロックで四方の位置決めができ、部品点数を削減できるとともに施工工数を少なくできる。
パネルを固定するアタッチメントは、下地材の左右側面に左右方向からボルトとナットで固定するから、パネルの正面側にボルトやナットが露出せず、外観がよい。
【図面の簡単な説明】
【図１】（ａ）は図３のＡ−Ａ断面図であり、（ｂ）は（ａ）に示す位置決めブロックの側面図である。
【図２】図３に示すＢ−Ｂ部の縦断面図である。
【図３】図４及び図５に示すＣ部の縦断面図である。
【図４】本発明の実施の形態にかかるパネル体の側面図である。
【図５】図４に示すパネル体の正面図である。
【図６】（ａ）は図４及び図５に示すＥ部の縦断面図であり、（ｂ）は（ａ）に示す位置決めブロックの側面図である。
【符号の説明】
１      パネル体
３      パネル
５      下地材
７      位置決めブロック
９      アタッチメント
１５    被挟着片
１７    嵌合溝
２３ａ、２３ｂ    下地材のパネル載置部
２５    側端部
２７    アタッチメント固定部
２９    ボルト
３１    ナット
３５    位置決めブロックのパネル載置部
３７    左右方向位置規制部
３９    長手方向位置規制部
【図１】
2004319526.tif 000003
【図２】
2004319526.tif 000004
【図３】
2004319526.tif 000005
【図４】
2004319526.tif 000006
【図５】
2004319526.tif 000007
【図６】
2004319526.tif 000008